(57)【特許請求の範囲】
【請求項１】
外壁材の下端部付近に配置される水切り材であって、該水切り材に、外壁材の下端よりも下方において外壁材の表面よりも外方に突出する先端程下となるように下り傾斜した水切り傾斜片を設け、水切り傾斜片の表面に細巾の凹の横筋部を形成して成ることを特徴とする水切り材。
【請求項２】
水切り材がコーナ部が表側に向けて突出した水平断面略Ｌ字状をした出隅水切り材であることを特徴とする請求項１記載の水切り材。
【請求項３】
水切り材がコーナ部が裏側に向けて凹んだ水平断面略Ｌ字状をした入隅水切り材であることを特徴とする請求項１記載の水切り材。
【請求項４】
請求項１記載の水切り材と水切り材とを接続するための接続部材であって、
接続部材の表面に細巾の凹の横筋部を形成して成ることを特徴とする水切り材用接続部材。
【発明の詳細な説明】
【０００１】
【発明の属する技術分野】
本発明は、外壁材の下端部付近における水切りをするための水切り材及び水切り材用接続部材に関するものである。
【０００２】
【従来の技術】
従来から外壁材の下端部付近に水切り材を配置してある。そしてこの水切り材は外壁材の下端よりも下方において外壁材の表面よりも外方に突出する先端程下となるように下り傾斜した水切り傾斜片を具備しており、外壁材の表面を流れた雨水が水切り材の水切り傾斜片の表面に流下し、水切り傾斜片の表面に沿って流れて水切り傾斜片の先端から下方に流下することで、建物側に浸入しないようになっている。
【０００３】
ところが、従来の水切り材の下り傾斜した水切り傾斜片は表面が平坦面となっており、水切り傾斜片の表面を雨水が流れる際、筋状の雨垂れ汚れが付いてしまうという問題があった。
【０００４】
ここで、雨垂れ汚れとは、水の流れた軌跡に沿って水に含まれていた砂、埃等の汚れ成分が側片部に付着したまま水分が蒸発することで汚れの道となって残る現象であり、一旦この汚れの道ができると、この汚れの道に沿って雨水が流れて雨垂れ汚れをいっそう成長させるという問題がある。
【０００５】
そして、水切り材の水切り傾斜片は外壁材の下端よりも下方において外壁材の表面よりも外方に突出して配設されるので、建物の外観上目立つ箇所にあり、水切り傾斜片に上記筋状の雨垂れ汚れが付くと、建物の外観を損ねてしまうという問題がある。
【０００６】
【発明が解決しようとする課題】
本発明は上記の点に鑑みてなされたものであり、外壁材の下端よりも下方において外壁材の表面よりも外方に突出して配設される水切り傾斜片に筋状の雨垂れ汚れが付かないようにすることができる水切り材及び水切り材用接続部材を提供することを課題とするものである。
【０００７】
【課題を解決するための手段】
上記課題を解決するために本発明に係る水切り材は、外壁材１の下端部付近に配置される水切り材２であって、該水切り材２に、外壁材１の下端よりも下方において外壁材１の表面よりも外方に突出する先端程下となるように下り傾斜した水切り傾斜片３を設け、水切り傾斜片３の表面に細巾の凹の横筋部４を形成して成ることを特徴とするものである。このような構成とすることで、外壁材１の表面の下端から下方に流下した雨水が先端程下となるように下り傾斜した水切り傾斜片３の表面を流れる際、凹の横筋部４の存在によりこの部分で横に移動することで、雨垂れのように縦方向に筋状に流れるのを防止して雨垂れ汚れが生じないようにするものである。
【０００８】
また、水切り材２がコーナ部が表側に向けて突出した水平断面略Ｌ字状をした出隅水切り材２ａであることが好ましい。このような構成とすることで、コーナ部が表側に向けて突出した水平断面略Ｌ字状をした出隅水切り材２ａに設けた水切り傾斜片３の表面に雨垂れ汚れが生じないようにできるものである。
【０００９】
また、水切り材２がコーナ部が裏側に向けて凹んだ水平断面略Ｌ字状をした入隅水切り材２ｂであることが好ましい。このような構成とすることで、コーナ部が裏側に向けて凹んだ水平断面略Ｌ字状をした入隅水切り材２ｂに設けた水切り傾斜片３の表面に雨垂れ汚れが生じないようにできるものである。
【００１０】
また、本発明の水切り材用接続部材は、水切り材２と水切り材２とを接続するための接続部材５であって、接続部材５の表面に細巾の凹の横筋部４を形成して成ることを特徴とするものである。このような構成とすることで、接続部材５の表面を雨水が流れる際に、凹の横筋部４の存在によりこの部分で横に移動することで、雨垂れのように縦方向に筋状に流れるのを防止して雨垂れ汚れが生じないようにするものである。
【００１１】
【発明の実施の形態】
以下、本発明を添付図面に示す実施形態に基づいて説明する。
【００１２】
水切り材２はアルミニウムなどの金属により形成した長尺のものであり、その断面形状は図３に示すようなもので、固定用縦片６の下端から後方に向けて位置決め用横片２０を突設し、固定用縦片６の下端から斜め前下方に向けて先端程下となるように傾斜した水切り傾斜片３を突設し、水切り傾斜片３の上部付近に上方に向けて壁材受け片７を突設し、更に、水切り傾斜片３の先端から下方に向けて水切り用垂下片８を垂設して構成してある。
【００１３】
そして、先端程下となるように傾斜した水切り傾斜片３の表面の壁材受け片７を突設した部位よりも前方位置には水切り材２の長手方向と平行に細巾の凹の横筋部４を形成してある。図３に示す実施形態では凹の横筋部４が上下に複数列設けてある。凹の横筋部４は凹の溝巾が約０．１ｍｍ、溝深さが約０．５ｍｍ、凹の溝ピッチが約５ｍｍとしてある。凹の溝の断面形状はＶ字状、半円状、コ字状等任意に設定できるものである。
【００１４】
また、壁材受け片７の上端部には斜め前下方に向けて突出する水返し片９が形成してある。
【００１５】
上記のような構成の水切り材２は外壁材１の下端部付近に配置されるものである。図１、図２に示す実施形態は既存の外壁１０の外面に新規の外壁材１を取着して形成した外壁における水切り材２の使用例が示してある。図１において、既存の土台２１上に形成した既存の外壁１０の外面に新規の下地桟１１を固着し、その上に新規の外壁材１を取付けるもようになっている。この場合、既存の外壁１０の外面の上下に多段に取付ける下地桟１１のうち最下段の下地桟１１の前面部に水切り材２の固定用縦片６を当接してビス、釘等の固着具１２により固着するものである。この固定用縦片６を下地桟１１の前面部に当接して固着する際、位置決め用横片２０を下地桟１１の下面部に当接することで、水切り材２の上下方向の位置決めができて、正確な位置に水切り材２を取付けることができ、特に、水切り材２が長尺であるにも関わらず、正確に取付けることができるものである。
【００１６】
上記のように水切り材２を取付けた状態で、この水切り材２を新規の外壁材１を施工する際のスタータとして外壁材１を施工するものである。すなわち外壁材１は下から上へと順に施工していくものであり、水切り材２の壁材受け片７に最下段の外壁材１の下端部を載設支持して位置決めした状態で取付け金具（図示せず）を介してまたは直接固着具により下地桟１１に固着するものである。
【００１７】
ここで、図１には外壁材１の下端部に嵌合凹部１３を設けるとともに上端部に嵌合突部（図示せず）を設けてあり、最下段の外壁材１の嵌合凹部１３が上記水切り材２の壁材受け片７に嵌め込んで支持される。この場合、壁材受け片７の上端部に斜め前下方に向けて突出する水返し片９を形成してあることで、水返し片９の傾斜がガイドとなって外壁材１の嵌合凹部１３をスムーズに嵌め込むことができるものである。また、上下の外壁材１同士は下の嵌合突部に上の外壁材１の嵌合凹部１３を嵌合することで連結されるものである。このような外壁材１同士の凹凸嵌合による連結は従来から公知の技術であるので詳細な説明は省略するが、要は本発明においては外壁材１同士の凹凸嵌合をするための嵌合凹部１３を利用して最下段においては水切り材２の壁材受け片７に嵌め込んで支持することで、最下段の外壁材１の位置決めと最下段の外壁材１の下端部の水切り材２への取付けが同時に行えるようになっている。
【００１８】
建物のコーナ部分においては水切り材２としてコーナ部が表側に向けて突出した水平断面略Ｌ字状をした出隅水切り材２ａやコーナ部が裏側に向けて突出した水平断面略Ｌ字状をした入隅水切り材２ｂを用いて出隅水切り材２ａや入隅水切り材２ｂの各両端部とそれぞれの両側に位置する直線状の長尺の水切り材２の端部とを重複するように施工するものである。ここで、出隅水切り材２ａに設けた水切り傾斜片３の表面や入隅水切り材２ｂに設けた水切り傾斜片３の表面にも直線状の長尺の水切り材２と同様に細巾の凹乃至凸の横筋部４を形成してある。
【００１９】
また、直線状をした長尺の水切り材２同士を接続するための接続部材５にも先端側程下となるように下り傾斜した傾斜片が設けてあるがこの傾斜片の表面にも細巾の凹の横筋部４が形成してある。更に、直線状をした長尺の水切り材２の端のエンド部に取付けられる止まり部材１６にも傾斜片が設けてあって、該傾斜片の表面にも細巾の凹の横筋部４が形成してある。
【００２０】
上記のように水切り材２、外壁材１を施工した状態で、図１に示すように水切り材２の先端程下となるように下り傾斜した水切り傾斜片３が外壁材１の下端よりも下方において外壁材１の表面よりも外方に突出するものである。
【００２１】
しかして、外壁材１の表面から流下した雨水は外壁材１の下端よりも下方において外壁材１の表面よりも外方に突出した水切り傾斜片３上に流れ、水切り傾斜片３の表面を流れて水切り用垂下片８に沿って流下して水切り用垂下片８の下端から下方に流れ落ちるものであり、この場合、風により水切り傾斜片３の表面に沿って雨水が上方に吹き上げられても壁材受け片７により浸入が阻止され、更に壁材受け片７に沿って上昇しても水返し片９によって水返しされてそれ以上の浸入が阻止されるようになっている。更に、仮に水返し片９を越えて水が浸入しても、固定用縦片６の存在により確実に水のそれ以上の浸入を防止することができるものである。
【００２２】
ところで、外壁材１から流下した雨水は水切り傾斜片３の表面を流れる際、水切り傾斜片３の表面に細巾の凹の横筋部４を形成してあるので、そのまま縦方向に筋状に流れ落ちることがなく、この凹の横筋部４部分においては、図４に示すように、水滴１５ａが横筋部４部分を伝って横に移動して大きくなりながら、横筋部４の他の水滴１５ｂと一緒になって更に大きな水滴１５ｃとなり、また、この大きくなった水滴１５ｃが横筋部４を２本跨ぐことで、更に大きな水滴となり、上記のことを繰り返しながら水滴が肥大化していって大きな水滴の状態で落下するものである。このように大きな水滴の状態で落下させると雨垂れのような縦方向の筋状の汚れを防ぐことができるものである。
【００２３】
上記横筋部４による水滴１５を肥大化する作用は出隅水切り材２ａや入隅水切り材２ｂや接続部材５や止まり部材１６においても同様に行われて雨垂れのような縦方向の筋状の汚れを防ぐようになっている。
【００２４】
ここで、直線状の長尺の水切り材２や出隅水切り材２ａや入隅水切り材２ｂや接続部材５や止まり部材１６にそれぞれ設けた横筋部４が横方向に連続するような配置関係とすることで水滴が隣りの横筋部４にわたるように横に流れて肥大化することができるものである。
【００２５】
【発明の効果】
上記のように本発明の請求項１記載の発明にあっては、外壁材の下端部付近に配置される水切り材であって、該水切り材に、外壁材の下端よりも下方において外壁材の表面よりも外方に突出する先端程下となるように下り傾斜した水切り傾斜片を設け、水切り傾斜片の表面に細巾の凹の横筋部を形成してあるので、外壁材の表面の下端から下方に流下した雨水が先端程下となるように下り傾斜した水切り傾斜片の表面を流れる際、凹の横筋部の存在によりこの部分で横に移動することで、雨垂れのように縦方向に筋状に流れるのを防止し、これにより水切り傾斜片に従来のような雨垂れ汚れが生じることがなくて外観が良くなるものである。
【００２６】
また、請求項２記載の発明にあっては、上記請求項１記載の発明の効果に加えて、水切り材がコーナ部が表側に向けて突出した水平断面略Ｌ字状をした出隅水切り材であるので、コーナ部が表側に向けて突出した水平断面略Ｌ字状をした出隅水切り材に設けた水切り傾斜片の表面に雨垂れ汚れが生じないようにできて、出隅コーナ部分においても水切り傾斜片に従来のような雨垂れ汚れが生じることがなくて外観が良くなるものである。
【００２７】
また、請求項３記載の発明にあっては、上記請求項１記載の発明の効果に加えて、水切り材がコーナ部が裏側に向けて凹んだ水平断面略Ｌ字状をした入隅水切り材であるので、コーナ部が裏側に向けて凹んだ水平断面略Ｌ字状をした入隅水切り材に設けた水切り傾斜片の表面に雨垂れ汚れが生じないようにできて、入隅コーナ部分においても水切り傾斜片に従来のような雨垂れ汚れが生じることがなくて外観が良くなるものである。
【００２８】
また、請求項４記載の発明にあっては、水切り材と水切り材とを接続するための接続部材であって、接続部材の表面に細巾の凹の横筋部を形成してあるので、接続部材の表面を雨水が流れる際に、凹の横筋部の存在によりこの部分で横に移動することで、雨垂れのように縦方向に筋状に流れるのを防止して雨垂れ汚れが生じないようにできて、水切り材と水切り材とを接続する部分において接続部材に従来のような雨垂れ汚れが生じることがなくて外観が良くなるものである。
【図面の簡単な説明】
【図１】  本発明の水切り材を施工した部分の断面図である。
【図２】  同上の分解斜視図である。
【図３】  同上の水切り材の断面図である。
【図４】  同上の作用説明図である。
【符号の説明】
１  外壁材
２  水切り材
２ａ  出隅水切り材
２ｂ  入隅水切り材
３  水切り傾斜片
４  横筋部
５  接続部材
【図１】
0004154813.tif 000002
【図２】
0004154813.tif 000003
【図３】
0004154813.tif 000004
【図４】
0004154813.tif 000005